(57)【要約】【課題】  ＧＰＳを内蔵した入力装置によって、トレイスした位置の軌跡を検出して、その軌跡のデータをもとに画面上に軌跡を表示する。【解決手段】  ＧＰＳ１を内蔵しており、スイッチ２が押されている状態での軌跡を検出して、その軌跡のデータを表示装置３に転送して、表示装置３においてその軌跡のデータを画面上に表示する。【選択図】        図１
2005216090.tif 000002
【特許請求の範囲】
【請求項１】
画面上に文字や絵などを入力する装置において、入力部が位置検出装置になっていて、入力指令がある状態での位置検出装置の位置データの軌跡を入力データとして画面上にその軌跡を表示できる入力装置。
【請求項２】
請求項１においての位置検出装置がＧＰＳである入力装置。
【請求項３】
請求項１または２において、入力装置がペン型であって、入力指令部がペン先になっていて、このペン先の軌跡を入力データとする入力装置。
【請求項４】
請求項１または２において、入力装置がマウス型になっている入力装置。
【請求項５】
請求項１または２において、入力指令部がスイッチになっていてスイッチがＯＮの時の軌跡データを入力状態とし、スイッチがＯＦＦの時の軌跡データは非入力状態として、スイッチがＯＮの時の軌跡データのみを入力データとする入力装置。
【請求項６】
請求項１から５のいずれかにおいて、軌跡データを蓄える記憶装置を持っていて、その蓄えたデータを一度に送信できる装置を内蔵している入力装置。
【請求項７】
請求項１から５のいずれかにおいて、軌跡データをリアルタイムに送信することのできる装置を内蔵している入力装置。
【請求項８】
請求項１から７のいずれかにおいて、入力データをサンプリングした時にデータとして一回前にサンプリングしたデータからの相対ベクトルとしてデータを扱う入力装置。
【請求項９】
請求項１から７のいずれかにおいて、入力データである軌跡のデータを絶対位置としてデータを扱う入力装置。
【発明の詳細な説明】
【技術分野】
【０００１】
紙に書いてあるものをペン型の入力装置でトレイスするとそれが画面上に表示され、また、ペン型の入力装置で文字を書くとそれが画面上に表示されるという入力装置に関するものである。
【背景技術】
【０００２】
紙面上に描いてある形をトレイスすることによって、そのトレイスした形を画面上に表示するのに多く用いられているものにタブレットがある。
【０００３】
タブレットで多く用いられている方法は、板状のタブレットに接触を感知するセンサを埋め込みペンで接触した位置を検出して画面上に表示する方法や、タブレット上に電荷を感知するセンサを埋め込み、ペンに電荷を蓄えておき電荷の変化がある位置を検出して画面に表示する方法が使われている。
【０００４】
また、タブレットとペンとの間を光や電波を使用して信号をやり取りして位置を検出して画面上に表示する方法も使われている。
【特許文献１】特開２００２−２１５２６５号公報
【発明の開示】
【発明が解決しようとする課題】
【０００５】
従来の方法だと、タブレット上にセンサを埋め込み、ペンとタブレットの間で信号のやり取りをするというようにタブレットが必要不可欠である。
【０００６】
しかし、タブレットは板状の台になっているので持ち運びにはとても不便であるという問題があった。
【０００７】
本発明は、このような状況のもとでなされたもので、持ち運びに不便なタブレットがなくても、画面上に文字や絵を入力することのできる入力装置を提供することを課題とするものである。
【課題を解決するための手段】
【０００８】
前記課題を解決するため、本発明では、入力装置を次ぎの（１）のとおりに構成する。
【０００９】
（１）画面上に文字や絵などを入力する装置において、入力部が位置検出装置になっていて、入力指令がある状態での位置検出装置の位置データの軌跡を入力データとして画面上にその軌跡を表示できる入力装置。
【発明の効果】
【００１０】
本発明により、今までタブレットが必要だったがタブレットの必要がなくなり携帯性が高まる。
【００１１】
また、空中で文字や絵を描くような動作においても入力可能になる。
【発明を実施するための最良の形態】
【００１２】
以下本発明を実施するための最良の形態を、実施例により詳しく説明する。
【実施例１】
【００１３】
図１を参照して本発明の構成を説明する。入力装置４にあるスイッチ３が押されている間または接触している間、ＧＰＳ１の位置の検出を行いＧＰＳ１が動いた軌跡をデータとして表示装置３に送信する。このスイッチ３が押されている間のみの軌跡を画面に表示することによって入力画像を表現する。
【００１４】
図２のブロック図と図３のフローチャートを参照して、入力装置の動作を説明する。電源が入力されるとＳ１からＳ２になりスイッチ５の入力待ちになる。ここでスイッチ５が入力されるとＣＰＵ７がスイッチ５の入力を検知してＳ３の状態になりＧＰＳ６に現在の位置を検出させてＳ４の状態に移り位置のデータをメモリ８に記憶させて状態はＳ５になる。ここで、メモリ８にある程度データが溜まっているならばＳ６の状態に移る。また、ここで、まだデータを送信する必要がないならば状態はＳ２に戻り今までの処理を繰り返す。Ｓ６の状態に移ったならばＣＰＵ７が通信部９にメモリ８上にあるデータを転送して転送部からデータが送信される。送信後は、Ｓ２の状態に戻り処理を繰り返す。
【００１５】
次に、図２のブロック図と図４のフローチャートを参照して、表示装置の動作を説明する。図２の通信部１０がデータを受信するまでＳ７の状態で受信待ちになる。通信部１０が受信データを検出するとＳ８の状態に移りＣＰＵ１１によって受信データをメモリ１２に記憶する。次に、状態がＳ９に移りＣＰＵ１１によって位置データを表示データに変換して、状態がＳ１０に移り表示データをモニタ出力部１３に転送されてモニタ１４に表示される。Ｓ１０からＳ７の状態に戻り送信データ待ちとなる。
【００１６】
図１にある入力装置４は、図５にあるようなマウス型したものでもよい。入力装置４のＧＰＳ部１を図５の１６に持っていき、図２のスイッチ２を図５の１５に持っていってもよい。
【００１７】
図２において、入力装置と表示装置での通信について、ＧＰＳ６のデータをそのまま転送していたのではデータが大きくなってしまうので、データを相対位置にＣＰＵ７で変換して通信することによって通信速度は上げることができる。また、表示部での位置データを表示データに変換しているが相対位置であるとこの処理が少なくてすむので処理速度をあげることができる。
【００１８】
図１において、スイッチ２に圧力センサを付けておき、圧力の大きさに合わせて線の太さを変えるようにすることもできる。
【図面の簡単な説明】
【００１９】
【図１】本発明の概要図
【図２】本発明の入力装置と表示装置のブロック図
【図３】入力装置のフローチャート
【図４】表示装置のフローチャート
【図５】入力装置のマウス型の図
【符号の説明】
【００２０】
１    ＧＰＳ
２    スイッチ
３    表示装置
４    入力装置
５    スイッチ
６    ＧＰＳ
７    入力装置のＣＰＵ
８    入力装置のメモリ
９    入力装置の通信部
１０    表示装置の通信部
１１    表示装置のＣＰＵ
１２    表示装置のメモリ
１３    モニタ出力部
１４    モニタ
１５    マウス型入力装置のスイッチ
１６    マウス型入力装置のＧＰＳ
【図１】
2005216090.tif 000003
【図２】
2005216090.tif 000004
【図３】
2005216090.tif 000005
【図４】
2005216090.tif 000006
【図５】
2005216090.tif 000007